(57)【要約】【課題】印刷媒体のページと印刷データとが対応しない印刷を抑制する手段を提供する。【解決手段】印刷データに基づいて連続した媒体に印刷を行う印刷部と、媒体のページ毎に設けられたページ識別情報を検出するとともに、印刷不可ページを検出する検出部と、前記印刷部および前記検出部を制御する制御部と、を有し、前記制御部は、前記ページ識別情報と、前記印刷データとが結び付けられている領域に前記印刷データを印刷する場合であって、前記領域内で前記検出部により印刷不可ページが検出された場合、該印刷不可ページの前記ページ識別情報に結び付けられた印刷データを前記領域でないページに印刷する。【選択図】        図１
2018199305.tif 000002
【特許請求の範囲】
【請求項１】
印刷データに基づいて連続した媒体に印刷を行う印刷部と、
媒体のページ毎に設けられたページ識別情報を検出するとともに、印刷不可ページを検出する検出部と、
前記印刷部および前記検出部を制御する制御部と、
を有し、
前記制御部は、
前記ページ識別情報と、前記印刷データとが結び付けられている領域に前記印刷データを印刷する場合であって、前記領域内で前記検出部により印刷不可ページが検出された場合、該印刷不可ページの前記ページ識別情報に結び付けられた印刷データを前記領域でないページに印刷することを特徴とする画像形成装置。
【請求項２】
請求項１に記載の画像形成装置において、
前記検出部は、媒体のページ毎に設けられたＲＦＩＤタグとの間で通信を行う近距離無線通信部であり、
前記ページ識別情報は、前記ＲＦＩＤタグに記憶されていることを特徴とする画像形成装置。
【請求項３】
請求項１または請求項２に記載の画像形成装置において、
前記制御部は、
媒体の複数のページを連結してひとつの論理ページとし、
前記論理ページ毎に、前記印刷不可ページの前記ページ識別情報に結び付けられた印刷データを前記印刷領域でない領域のページに印刷することを特徴とする画像形成装置。
【請求項４】
請求項１から請求項３のいずれかに記載の画像形成装置において、
前記制御部は、
前記印刷不可ページの前記ページ識別情報に結び付けられた印刷データを前記印刷領域でない領域のページに印刷する第１のモードと、
前記印刷不可ページの前記ページ識別情報に結び付けられた印刷データを前記印刷不可ページの後のページに順次繰り下げて印刷する第２のモードと、
を有することを特徴とする画像形成装置。
【請求項５】
請求項４に記載の画像形成装置において、
前記印刷部は、
前記第１のモードの場合、現像ユニットへ出力する印刷指示信号を停止し、前記印刷不可ページの印刷を避け、
前記第２のモードの場合、現像ユニットへ出力する印刷データを停止し、前記印刷不可ページの印刷を避けることを特徴とする画像形成装置。
【請求項６】
情報処理装置と、前記情報処理装置から印刷データを受信して印刷を行う画像形成装置とを有する画像形成システムであって、
前記画像形成装置は、請求項１から請求項５のいずれかに記載の画像形成装置であることを特徴とする画像形成システム。
【請求項７】
請求項６に記載の画像形成システムにおいて、
前記画像形成装置は、
前記印刷不可ページの識別情報を前記情報処理装置へ送信し、
前記情報処理装置は、受信した前記印刷不可ページの識別情報に基づいて印刷データを生成し、前記画像形成装置へ送信することを特徴とする画像形成システム。
【請求項８】
請求項７に記載の画像形成システムにおいて、
前記画像形成装置は、
所定数のページを連結してひとつの論理ページとする場合、前記印刷不可ページの数が前記所定数に達したとき、前記印刷不可ページの識別情報を前記情報処理装置へ送信し、
前記情報処理装置で生成された前記論理ページ毎の印刷データを受信し、前記印刷領域でない領域のページに印刷することを特徴とする画像形成システム。
【発明の詳細な説明】
【技術分野】
【０００１】
本発明は、連続した媒体に印刷を行う画像形成装置および画像形成システムに関する。
【背景技術】
【０００２】
従来の画像形成装置は、ロール状の連続した印刷媒体に印刷を行う際、印刷媒体の搬送方向における上流側に印刷媒体の状態を検知するセンサを配置し、印刷を避ける必要があるページを検出し、そのページへの印刷を避け、直後のページに印刷を行うようにしている（例えば、特許文献１参照）。
【先行技術文献】
【特許文献】
【０００３】
【特許文献１】特開２０１５−２２３７９７号公報
【発明の概要】
【発明が解決しようとする課題】
【０００４】
しかしながら、従来の技術においては、印刷媒体のページと、印刷データによる印刷内容とを結び付けている場合、印刷を避けた印刷データを直後のページに印刷すると、以降のページにおいて、すべてのページと印刷データとがずれてしまい、印刷媒体のページと印刷データとを対応させて印刷できなくなってしまうという問題がある。
本発明は、このような問題を解決することを課題とし、印刷媒体のページと印刷データとが対応しない印刷を抑制することを目的とする。
【課題を解決するための手段】
【０００５】
そのため、本発明は、印刷データに基づいて連続した媒体に印刷を行う印刷部と、媒体のページ毎に設けられたページ識別情報を検出するとともに、印刷不可ページを検出する検出部と、前記印刷部および前記検出部を制御する制御部と、を有し、前記制御部は、前記ページ識別情報と、前記印刷データとが結び付けられている領域に前記印刷データを印刷する場合であって、前記領域内で前記検出部により印刷不可ページが検出された場合、該印刷不可ページの前記ページ識別情報に結び付けられた印刷データを前記領域でないページに印刷することを特徴とする。
【発明の効果】
【０００６】
このようにした本発明は、印刷媒体のページと印刷データとが対応しない印刷を抑制することができるという効果が得られる。
【図面の簡単な説明】
【０００７】
【図１】実施例における画像形成システムの構成を示すブロック図
【図２】実施例における画像形成装置の構成を示す説明図
【図３】実施例における上書きモード印刷の説明図
【図４】実施例におけるページ連結の上書きモード印刷の説明図
【図５】実施例におけるシフトモード印刷の説明図
【図６】実施例における画像形成システムの印刷処理の流れを示すフローチャート
【図７】実施例における情報処理装置の印刷データ生成処理の流れを示すフローチャート
【図８】実施例における画像形成装置の印刷データ受信処理の流れを示すフローチャート
【図９】実施例における画像形成装置の印刷処理の流れを示すフローチャート
【図１０】実施例における画像形成装置のＮＧページ検出処理の流れを示すフローチャート
【図１１】実施例における情報処理装置のＮＧページＩＤ受信処理の流れを示すフローチャート
【発明を実施するための形態】
【０００８】
以下、図面を参照して本発明による画像形成装置および画像形成システムの実施例を説明する。
【実施例】
【０００９】
図１は実施例における画像形成システムの構成を示すブロック図である。
【００１０】
図１において、画像形成システム１は、情報処理装置１０と、情報処理装置１０から印刷データを受信して印刷を行う画像形成装置２０とを有するものである。この画像形成システム１は、情報処理装置１０と、画像形成装置２０とがＬＡＮ（Ｌｏｃａｌ  Ａｒｅａ  Ｎｅｔｗｏｒｋ）等のネットワークやＵＳＢ（Ｕｎｉｖｅｒｓａｌ  Ｓｅｒｉａｌ  Ｂｕｓ）等の通信回線１０６を介して通信可能に接続されている。
【００１１】
情報処理装置１０は、入力データに画像処理を施した画像データを印刷データとして出力するものである。
画像形成装置２０は、情報処理装置１０から出力された印刷データを入力し、入力した印刷データに基づき印刷媒体としての用紙に画像を形成するものである。
【００１２】
本実施例の画像形成システム１の画像形成装置２０は、印刷媒体に画像を形成する前の印刷媒体の搬送方向における上流側に印刷媒体を切断する切断機構を備えた場合、搬送方向における切断後の印刷媒体の長さを搬送可能な長さ（最小用紙長）以上にする必要がある。したがって、画像形成システム１は、最小用紙長未満の長さの印刷媒体に印刷を行う場合、印刷する各ページを連結して印刷媒体の長さが最小用紙長以上の長さになるように論理ページを作成して印刷を行うようにしている。なお、最小用紙長は、印刷媒体を搬送する搬送ローラの間隔の最長距離となる。
【００１３】
ここで、ページとは、印刷媒体を搬送方向において所定の長さに分割したものであり、例えば印刷媒体のラベル部に対応するものである。この場合、印刷データは、１つのページ、または複数のページに分割されるものとする。
情報処理装置１０は、主制御部１０１と、アプリケーション１０２と、プリンタドライバ１０３と、データ通信部１０４と、記憶部１０５とを有している。
【００１４】
主制御部１０１は、ＣＰＵ（Ｃｅｎｔｒａｌ  Ｐｒｏｃｅｓｓｉｎｇ  Ｕｎｉｔ）等の制御手段を備え、記憶部１０５に記憶された制御プログラムに基づいてアプリケーション１０２、プリンタドライバ１０３、データ通信部１０４、および記憶部１０５を制御し、情報処理装置１０全体の動作を制御するものである。
【００１５】
アプリケーション１０２は、画像形成装置２０で印刷する文書データを作成および編集するアプリケーションソフトウェアである。
【００１６】
プリンタドライバ１０３は、アプリケーション１０２で生成された文書データから画像形成装置２０で印刷するための印刷データを生成するソフトウェアである。プリンタドライバ１０３は、アプリケーション１０２において印刷を指示した際に呼び出され、ユーザから指定された印刷設定に従い、文書データを印刷データに変換して記憶部１０５に保持し、記憶部１０５に保持された情報および印刷データを画像形成装置２０へ通知する。
【００１７】
なお、アプリケーション１０２は、プリンタドライバ１０３の機能を包含する場合もあり、その場合、プリンタドライバ１０３を経由することなく、ユーザから指定された印刷設定に従い、文書データを印刷データに変換して記憶部１０５に保持し、記憶部１０５に保持された情報および印刷データを画像形成装置２０へ通知する。本実施例では、プリンタドライバ１０３で印刷データを生成し、画像形成装置２０へ通知するものとして説明する。
【００１８】
データ通信部１０４は、通信回線１０６を介して接続された画像形成装置２０との間でのデータの送受信制御を行うものである。データ通信部１０４は、印刷データの画像形成装置２０への送信、および画像形成装置２０から通知された印刷を避けるページ（ＮＧページ）についての情報を受信する。
【００１９】
記憶部１０５は、メモリ等の記憶手段で構成され、アプリケーション１０２やプリンタドライバ１０３で指定された印刷設定の情報を保持し、文書データを印刷データに変換する際にプリンタドライバ１０３によって参照されるものである。
【００２０】
ここで、印刷設定とは、例えば印刷媒体の厚さ、印刷媒体の種類、および印刷媒体のサイズに加え、連結数１０５ａ、ページ間ギャップ１０５ｂ、連結前のページ長１０５ｃ、およびリカバリモード１０５ｄで構成されている。連結数１０５ａ、ページ間ギャップ１０５ｂ、連結前のページ長１０５ｃ、およびリカバリモード１０５ｄは、印刷媒体の長さが搬送可能な長さより短い場合のページ連結に関する印刷設定である。
【００２１】
連結数１０５ａは、１ページの媒体搬送方向における印刷媒体の長さが、画像形成装置２０の搬送可能長さよりも短い場合、ページを連結する数である。本実施例では、印刷媒体の複数の物理ページを連結して１つの論理ページを形成する。
ページ間ギャップ１０５ｂは、媒体搬送方向におけるページとページとの間隔の長さである。なお、ページ間に間隔が形成されない場合、「０」となる。
【００２２】
連結前のページ長１０５ｃは、ページを連結する前の媒体搬送方向における１ページの長さである。
リカバリモード１０５ｄは、印刷を避けるページ（ＮＧページ）を検出したときのリカバリ方法として上書きモードとシフトモードとを切り替えるための情報である。なお、上書きモードおよびシフトモードの詳細は後述する。
【００２３】
なお、記憶部１０５は、印刷媒体の搬送可能な長さを閾値Ｌとして予め記憶するものとする。
【００２４】
次に、画像形成装置２０の構成を図２の実施例における画像形成装置の構成を示す説明図を参照しながら説明する。
【００２５】
ここで、図２に示す画像形成装置２０の構成を説明する。
【００２６】
図２に示すように、画像形成装置２０は、例えばカラープリンタであり、長尺状の連続した媒体に印刷を行うものである。画像形成装置２０には、ロール状に巻き回された連続媒体としての印刷媒体Ｐが保持部２１に回転可能に保持されている。印刷媒体Ｐは、搬送ローラ２２ａ、２２ｂ、２２ｃおよび転写ローラ２８ａによって挟持されて図中矢印Ａが示す媒体搬送方向に搬送される。媒体搬送方向における上流から順に搬送ローラ２２ａ、搬送ローラ２２ｂ、搬送ローラ２２ｃ、転写ローラ２８ａが配置され、搬送ローラ２２ａと搬送ローラ２２ｂとの間にはページ検出センサ２９およびＲＦＩＤ（Ｒａｄｉｏ  Ｆｒｅｑｕｅｎｃｙ  ＩＤｅｎｔｉｆｉｅｒ）  Ｒｅａｄ／Ｗｒｉｔｅモジュール（以下、「ＲＦＩＤモジュール」という。）２３が配設されている。また、媒体搬送方向におけるＲＦＩＤモジュール２３の下流には印刷媒体Ｐを切断するカッタ機構２４が配設されている。さらに、搬送ローラ２２ｂと搬送ローラ２２ｃとの間には印刷媒体Ｐに弛みを形成する弛み機構２５が配設されている。
【００２７】
また、画像形成装置２０には、現像剤像を形成する現像ユニット２６と、現像ユニット２６で形成された現像剤像を搬送する中間転写ユニット２７と、中間転写ユニット２７で搬送された現像剤像を印刷媒体Ｐに転写する転写部２８とが媒体搬送方向における搬送ローラ２２ｃの下流に配設されている。
【００２８】
検出部としてのページ検出センサ２９は、媒体搬送方向におけるＲＦＩＤモジュール２３の上流に配置され、印刷媒体Ｐのページを検出するセンサである。ページ検出センサ２９は、反射式光学センサや透過式光学センサ等であり、印刷媒体Ｐのラベル部やページ（ブラック）マーク等を検出することにより、印刷媒体Ｐのページを検出する。
【００２９】
ここで、印刷媒体Ｐは、連続する台紙と、連続する台紙上に貼り付けられた複数のページを持ち、台紙上のページとしては、例えば粘着剤を有するラベルやシール等が貼り付けられている。
【００３０】
検出部としてのＲＦＩＤモジュール２３は、印刷媒体Ｐのページ毎に設けられたページ識別情報を検出するとともに、印刷不可ページを検出する近距離無線通信部である。このＲＦＩＤモジュール２３は、印刷媒体Ｐのページ毎に設けられたそれぞれのＲＦＩＤタグ（以下、「ＲＦＩＤ」という。）との間で近距離無線通信を行い、ＲＦＩＤタグに記憶されているページ識別情報としてのタグＩＤを検出するとともに、印刷が行えるページと、印刷を避ける印刷不可ページ（以下、「ＮＧページ」という。）とを判別する。
【００３１】
ここで、印刷を避けるページ（ＮＧページ）とは、ＲＦＩＤモジュール２３が印刷媒体Ｐのページ毎に設けられたそれぞれのＲＦＩＤとの間で近距離無線通信を行うことができなかったページである。ＲＦＩＤとの間で近距離無線通信を行うことができない場合、ＲＦＩＤモジュール２３は、ＲＦＩＤに記憶されたタグＩＤ等の情報を読み取ることができず、印刷媒体Ｐのページと印刷データとを結び付けて印刷することができなくなる。そのため、ＲＦＩＤとの間で近距離無線通信を行うことができなかったページをＮＧページとして扱う。
【００３２】
また、画像形成装置２０において搬送可能な媒体搬送方向における印刷媒体Ｐの長さは、搬送ローラ２２ａ、搬送ローラ２２ｂ、搬送ローラ２２ｃ、および転写ローラ２８ａの隣り合うローラ間の最長間隔である。この最長間隔より印刷媒体Ｐの長さが短い場合、当該印刷媒体Ｐは搬送ローラ２２ａ、搬送ローラ２２ｂ、搬送ローラ２２ｃ、および転写ローラ２８ａによる搬送が不可能になる。
【００３３】
なお、本実施例では、画像形成装置２０を、現像ユニット２６を有する電子写真方式のプリンタとして説明するが、インクジェット方式のプリンタとしても良い。また、画像形成装置２０を、中間転写ユニット２７を有する中間転写方式として説明するが、現像ユニット２６で形成した現像剤像を直接印刷媒体Ｐに転写する直接転写方式としても良い。
【００３４】
次に、画像形成装置２０の制御構成を図１および図２に基づいて説明する。
画像形成装置２０は、データ通信部１０７と、印刷データ編集部１０８と、主制御部１０９と、機構制御部１１０と、印刷部１１１と、ＲＦＩＤ検出部１１２と、リカバリ制御部１１３と、記憶部１１４と、展開部１１５と、画像転送部１１６とを有している。
【００３５】
制御部としての主制御部１０９は、ＣＰＵ等の制御手段を備え、記憶部１１４に記憶された制御プログラムに基づいてデータ通信部１０７、印刷データ編集部１０８、主制御部１０９、機構制御部１１０、印刷部１１１、ＲＦＩＤ検出部１１２、リカバリ制御部１１３、記憶部１１４、展開部１１５、および画像転送部１１６を制御し、画像形成装置２０全体の動作を制御するものである。
【００３６】
データ通信部１０７は、情報処理装置１０などの上位装置との間でデータの送受信を行うものである。データ通信部１０７は、上位装置としての情報処理装置１０から印刷データおよび印刷設定などの情報を受信する。また、データ通信部１０７は、ＲＦＩＤ検出部１１２で読み込みおよび書き込みができなかったＮＧページのページＩＤを情報処理装置１０に通知する。
【００３７】
印刷データ編集部１０８は、情報処理装置１０から受信した印刷データを記憶部１１４に記憶された印刷設定の情報に従って１ページの印刷単位に編集を行うものである。
展開部１１５は、印刷データ編集部１０８で編集された印刷データに基づいてビットマップの画像データを生成するものである。
【００３８】
機構制御部１１０は、図２に示す印刷媒体を搬送するための搬送ローラ２２ａ〜２２ｃおよび転写ローラ２８ａを回転させるモータの駆動、印刷媒体に転写された現像剤像を定着させるための加熱手段の駆動、および印刷媒体を切断するカッタ機構２４の駆動などの機構制御を行うものである。
【００３９】
印刷部１１１は、印刷データに基づいて連続した印刷媒体に印刷を行うものである。この印刷部１１１は、印刷ヘッドを有する現像ユニット２６、中間転写ユニット２７、および転写部２８を備え、画像転送部１１６から転送された画像データに従って印刷を行う。
ＲＦＩＤ検出部１１２は、図２に示すＲＦＩＤモジュール２３で機構制御部１１０によって搬送される印刷媒体に備えられたＲＦＩＤの検出およびＲＦＩＤに対する情報の読取りおよび書き込みの制御を行うものである。
【００４０】
検出部としてのＲＦＩＤ検出部１１２は、印刷媒体のページ毎に設けられたページ識別情報を検出するとともに、ＮＧページを検出するものである。ＲＦＩＤ検出部１１２は、図２に示す搬送ローラ２２ａ〜２２ｃで形成される媒体搬送路の図中矢印Ａが示す媒体搬送方向におけるカッタ機構２４の上流側に配置されたＲＦＩＤモジュール２３により、印刷媒体のＮＧページを検出すると、ＮＧページＩＤを記憶部１１４に記憶するとともに、ＮＧページを検出した旨の情報を画像転送部１１６に通知する。
【００４１】
画像転送部１１６は、展開部１１５で生成されたビットマップの画像データを印刷媒体に印刷するため、図２に示す現像ユニット２６に対してストローブ信号（印刷指示信号）やＤＭＡ（Ｄｉｒｅｃｔ  Ｍｅｍｏｒｙ  Ａｃｃｅｓｓ）転送信号（印刷データ出力信号）の出力の制御を行うものである。画像転送部１１６は、ストローブ信号やＤＭＡ転送信号の出力の停止および再開を行うことにより、ＲＦＩＤモジュール２３で検出されたＮＧページへの印刷を避ける。
【００４２】
リカバリ制御部１１３は、ＲＦＩＤ検出部１１２でＮＧページが検出され、ＮＧページへの印刷を避けた場合、ＮＧページに印刷を行うはずだったページ情報（ページ番号）を情報処理装置１０に通知し、再印刷を促す制御を行うものである。
【００４３】
記憶部１１４は、メモリ等の記憶手段で構成され、印刷設定の情報や画像データ等の各種情報を記憶するものである。この記憶部１１４は、情報処理装置１０から通知される印刷設定の情報である連結数１１４ａと、ページ間ギャップ１１４ｂと、連結前ページ長１１４ｃと、ＮＧページＩＤ１１４ｄと、リカバリモード１１４ｅとを保持する。
【００４４】
連結数１１４ａ、ページ間ギャップ１１４ｂ、連結前ページ長１１４ｃ、およびリカバリモード１１４ｅは、情報処理装置１０から通知されたものであり、情報処理装置１０の記憶部１０５に記憶された連結数１０５ａ、ページ間ギャップ１０５ｂ、連結前のページ長１０５ｃ、およびリカバリモード１０５ｄと同じ情報である。
【００４５】
ＮＧページＩＤ１１４ｄは、ＲＦＩＤ検出部１１２で検出されたＮＧページの情報であるＮＧページＩＤを記憶する。
本実施例では、主制御部１０９は、印刷媒体のページ毎に設けられたタグＩＤと、印刷データとが結び付けられている印刷領域に印刷データを印刷する場合であって、その印刷領域内でＲＦＩＤ検出部１１２によりＮＧページが検出された場合、該ＮＧページのタグＩＤに結び付けられた印刷データを、印刷領域でない印刷領域外のページに印刷する。
【００４６】
また、主制御部１０９は、印刷媒体の複数のページを連結してひとつの論理ページを形成する場合、印刷領域内でＲＦＩＤ検出部１１２によりＮＧページが検出されたとき、論理ページ毎に、ＮＧページのページ識別情報に結び付けられた印刷データを、印刷領域外のページに印刷する。
【００４７】
リカバリモードである第１のモードとしての上書きモードおよび第２のモードとしてのシフトモードを図３の実施例における上書きモード印刷の説明図、図４の実施例におけるページ連結の上書きモード印刷の説明図および図５の実施例におけるシフトモード印刷の説明図に基づいて図１を参照しながら説明する。
【００４８】
まず、ページが連結されない場合の上書きモードを図３に基づいて説明する。
【００４９】
上書きモードは、印刷媒体のページと、印刷データによる印刷内容とが結び付けられている場合に使用されるモードである。
なお、ページが連結されない場合とは、印刷媒体の物理ページと論理ページとがともに１ページであり、画像形成装置２０の記憶部１１４の連結数１１４ａに「１」が設定されている場合である。
【００５０】
図３において、（ａ）は印刷媒体、（ｂ）は印刷データ、（ｃ）は印刷結果、（ｄ）は画像形成装置の制御を表している。
【００５１】
図３（ａ）に示すように、例えば印刷媒体Ｐは、物理ページとしての１ページ、２ページ、３ページ、４ページ、５ページ、および６ページで構成されているものとし、それぞれのページにＲＦＩＤ３１、ＲＦＩＤ３２、ＲＦＩＤ３３、ＲＦＩＤ３４、ＲＦＩＤ３５、およびＲＦＩＤ３６が設けられている。
【００５２】
画像形成装置２０のＲＦＩＤ検出部１１２は、ＲＦＩＤ３２およびＲＦＩＤ３５との間の通信により、２ページおよび５ページが印刷を避ける必要があるＮＧページであることを検出するものとする。
【００５３】
また、図３（ｂ）に示すように、印刷データ４０は、１ページに印刷する印刷データ４１、２ページに印刷する印刷データ４２、３ページに印刷する印刷データ４３、４ページに印刷する印刷データ４４、５ページに印刷する印刷データ４５、および６ページに印刷する印刷データ４６で構成されている。
【００５４】
印刷データ４１はＲＦＩＤ３１に記憶されたタグＩＤと、印刷データ４２はＲＦＩＤ３２に記憶されたタグＩＤと、印刷データ４３はＲＦＩＤ３３に記憶されたタグＩＤと、印刷データ４４はＲＦＩＤ３４に記憶されたタグＩＤと、印刷データ４５はＲＦＩＤ３５に記憶されたタグＩＤと、印刷データ４６はＲＦＩＤ３６に記憶されたタグＩＤと結び付けられているものとする。
【００５５】
したがって、図３（ａ）に示すように、印刷媒体Ｐの１ページ、２ページ、３ページ、４ページ、５ページ、および６ページで印刷データを印刷する領域Ｅ１が構成される。
【００５６】
図３（ｂ）に示す印刷データを図３（ａ）に示す印刷媒体Ｐに印刷した場合、図３（ｃ）に示す印刷結果５０となり、印刷媒体Ｐの１ページ５１に印刷データ４１、３ページ５３に印刷データ４３、４ページ５４に印刷データ４４、６ページ５６に印刷データ４６が印刷され、印刷データを印刷する領域Ｅ１内で検出されたＮＧページに対応する印刷データは印刷の際に破棄され、２ページ５２および５ページ５５には何も印刷されない。
【００５７】
２ページに対応する印刷データ４２は、印刷データが結び付けられていない領域Ｅ２である印刷媒体Ｐの７ページ５７に印刷され、また５ページに対応する印刷データ４５は、印刷データが結び付けられていない領域Ｅ２である印刷媒体Ｐの８ページ５８に印刷される。
【００５８】
本実施例では、図３（ｄ）に示すように、画像形成装置２０は、ＮＧページである２ページおよび５ページに対応する部分の印刷を行う際、ＬＥＤヘッドストローブ出力を停止し、印刷データ（画像データ）は転送するが、印刷は行わない。このとき、画像形成装置２０は、ＮＧページである２ページおよび５ページのページ番号をリカバリ対象として記憶部１１４のＮＧページＩＤ１１４ｄに保持する。
【００５９】
画像形成装置２０は、ＮＧページでない１ページ、３ページ、４ページ、６ページを印刷する際、ＬＥＤヘッドストローブ出力を行い、印刷を行う。
画像形成装置２０は、ＮＧページのページ番号（２ページおよび５ページ）をＮＧページの情報として情報処理装置１０に通知する。
【００６０】
情報処理装置１０は、情報処理装置１０から通知されたＮＧページのページ番号に基づいてリカバリ印刷する印刷データを生成し、画像形成装置２０に送信する。このとき、情報処理装置１０は、画像形成装置２０からＮＧページのページ番号を受信すると、ドライバ１０３により、記憶部１０５に保持している印刷設定の情報に従い、再度ＮＧページに対応する印刷データを生成し、画像形成装置２０に送信する。
【００６１】
画像形成装置２０は、情報処理装置１０から受信した印刷データに基づいてＮＧページに対応する２ページおよび５ページを印刷媒体Ｐの最終ページの後の領域Ｅ２に７ページ５７および８ページ５８にそれぞれ印刷するリカバリ印刷を行う。
【００６２】
次に、所定数の物理ページを連結して１つの論理ページとする場合の上書きモードを図４に基づいて説明する。なお、３ページの物理ページを１つの論理ページに連結する場合（画像形成装置２０の記憶部１１４の連結数１１４ａに「３」が設定されている場合）を説明する。
【００６３】
図４（ａ）に示すように、例えば印刷媒体Ｐは、物理ページとしての１ページ、２ページ、３ページ、４ページ、５ページ、および６ページで構成されているものとし、それぞれのページにＲＦＩＤ３１、ＲＦＩＤ３２、ＲＦＩＤ３３、ＲＦＩＤ３４、ＲＦＩＤ３５、およびＲＦＩＤ３６が設けられている。
【００６４】
画像形成装置２０のＲＦＩＤ検出部１１２は、ＲＦＩＤ３２、ＲＦＩＤ３３およびＲＦＩＤ３５との間の通信により、２ページ、３ページ、および５ページが印刷を避ける必要があるＮＧページであることを検出するものとする。
【００６５】
また、図４（ｂ）に示すように、印刷データ４０は、１ページに印刷する印刷データ４１、２ページに印刷する印刷データ４２、３ページに印刷する印刷データ４３、４ページに印刷する印刷データ４４、５ページに印刷する印刷データ４５、および６ページに印刷する印刷データ４６で構成されている。
【００６６】
印刷データ４１はＲＦＩＤ３１に記憶されたタグＩＤと、印刷データ４２はＲＦＩＤ３２に記憶されたタグＩＤと、印刷データ４３はＲＦＩＤ３３に記憶されたタグＩＤと、印刷データ４４はＲＦＩＤ３４に記憶されたタグＩＤと、印刷データ４５はＲＦＩＤ３５に記憶されたタグＩＤと、印刷データ４６はＲＦＩＤ３６に記憶されたタグＩＤと結び付けられているものとする。
【００６７】
したがって、図４（ａ）に示すように、印刷媒体Ｐの１ページ、２ページ、３ページ、４ページ、５ページ、および６ページで印刷データを印刷する領域Ｅ１が構成される。
【００６８】
図４（ｂ）に示す印刷データを図４（ａ）に示す印刷媒体Ｐに印刷した場合、図４（ｃ）に示す印刷結果６０となり、印刷媒体Ｐの１ページ６１に印刷データ４１、４ページ６４に印刷データ４４、６ページ６６に印刷データ４６が印刷され、印刷データを印刷する領域Ｅ１内で検出されたＮＧページに対応する印刷データは印刷の際に破棄され、２ページ６２、３ページ６３、および５ページ６５には何も印刷されない。
【００６９】
２ページに対応する印刷データ４２、３ページに対応する印刷データ４３、および５ページに対応する印刷データ４５は、連結されて１つの論理ページを形成し、印刷データが結び付けられていない領域Ｅ２である印刷媒体Ｐの７ページ５７、８ページ５８、および９ページ５９に、印刷データ４２、印刷データ４３、および印刷データ４５がそれぞれ印刷される。
【００７０】
本実施例では、図４（ｄ）に示すように、画像形成装置２０は、ＮＧページである２ページ、３ページ、および５ページに対応する部分の印刷を行う際、ＬＥＤヘッドストローブ出力を停止し、印刷データ（画像データ）は転送するが、印刷は行わない。このとき、画像形成装置２０は、ＮＧページである２ページ、３ページ、および５ページのページ番号をリカバリ対象として記憶部１１４のＮＧページＩＤ１１４ｄに保持する。
【００７１】
画像形成装置２０は、ＮＧページでない１ページ、４ページ、６ページを印刷する際、ＬＥＤヘッドストローブ出力を行い、印刷を行う。
画像形成装置２０は、ＮＧページの数が所定数としての記憶部１１４の連結数１１４ａに達すると、ページ番号（２ページ、３ページ、および５ページ）をＮＧページの情報として情報処理装置１０に通知する。
【００７２】
本実施例では、連結数１１４ａの「３」が記憶されているため、画像形成装置２０は、ページ番号（２ページ、３ページ、および５ページ）をＮＧページの情報として情報処理装置１０に通知する。なお、ＮＧページの数が記憶部１１４の連結数１１４ａに達していない場合、画像形成装置２０は、最後の印刷データ４６を印刷した後、ＮＧページＩＤ１１４ｄに保持したページ番号をＮＧページの情報として情報処理装置１０に通知する。
【００７３】
情報処理装置１０は、情報処理装置１０から通知されたＮＧページのページ番号に基づいて論理ページ毎にリカバリ印刷する印刷データを生成し、画像形成装置２０に送信する。このとき、情報処理装置１０は、画像形成装置２０からＮＧページのページ番号を受信すると、ドライバ１０３により、記憶部１０５に保持している印刷設定の情報に従い、再度ＮＧページに対応する印刷データを生成し、画像形成装置２０に送信する。
【００７４】
画像形成装置２０は、情報処理装置１０から受信した論理ページ毎の印刷データに基づいてＮＧページに対応する２ページ、３ページ、および５ページを１つの論理ページとし、印刷媒体Ｐの最終ページの後の領域Ｅ２に７ページ６７、８ページ６８、および９ページ６９にそれぞれ印刷するリカバリ印刷を行う。
【００７５】
上述したように、上書きモードでは、ＮＧページのタグＩＤに結び付けられた印刷データを、印刷領域でない領域Ｅ２のページに印刷する。
次に、シフトモードを説明する。シフトモードは、印刷媒体のページと、印刷データによる印刷内容とがすべてのページにおいて結び付けられていない場合に使用されるモードである。
【００７６】
図５において、（ａ）は印刷媒体、（ｂ）は印刷データ、（ｃ）は印刷結果、（ｄ）は画像形成装置の制御を表している。
【００７７】
図５（ａ）に示すように、例えば印刷媒体Ｐは、１ページ、２ページ、３ページ、４ページ、５ページ、および６ページが連結されているものとし、それぞれのページにＲＦＩＤ３１、ＲＦＩＤ３２、ＲＦＩＤ３３、ＲＦＩＤ３４、ＲＦＩＤ３５、およびＲＦＩＤ３６が設けられている。
【００７８】
画像形成装置２０のＲＦＩＤ検出部１１２は、ＲＦＩＤ３２およびＲＦＩＤ３５との間の通信により、２ページおよび５ページが印刷を避ける必要があるＮＧページであることを検出するものとする。
【００７９】
また、図５（ｂ）に示すように、印刷データ４０は、１ページに印刷する印刷データ４１、２ページに印刷する印刷データ４２、３ページに印刷する印刷データ４３、４ページに印刷する印刷データ４４、５ページに印刷する印刷データ４５、および６ページに印刷する印刷データ４６で構成されている。
【００８０】
図５（ｂ）に示す印刷データを図５（ａ）に示す印刷媒体Ｐに印刷した場合、図５（ｃ）に示す印刷結果７０となり、印刷媒体Ｐの１ページ７１に印刷データ４１、２ページ７２はＮＧページなので何も印刷されず、３ページ７３に２ページの印刷データ４２、４ページ７４に３ページの印刷データ４３、５ページ７５はＮＧページなので何も印刷されず、６ページ７６に４ページの印刷データ４４が印刷され、７ページ７７に５ページの印刷データ４５が印刷され、８ページ７８に６ページの印刷データ４６が印刷される。
【００８１】
本実施例では、図５（ｄ）に示すように、画像形成装置２０は、ＮＧページである２ページおよび５ページに対応する部分の印刷を行う際、ＤＭＡ転送信号の出力を停止し、印刷は行わない。このとき、画像形成装置２０は、ＮＧページである２ページを印刷する際、２ページの印刷を開始するときＤＭＡ転送を停止し、また２ページの印刷を終了するときＤＭＡ転送を再開する制御を行う。なお、５ページを印刷するときも同様である。
【００８２】
画像形成装置２０は、ＮＧページでない１ページ、３ページ、４ページ、６ページを印刷する際、ＤＭＡ転送信号の出力を行い、印刷を行う。
このように、画像形成装置２０は、ＮＧページへの印刷を避け、ＮＧページに印刷する予定であった印刷データはＮＧページの次のページに印刷し、順次印刷データをシフトして印刷するリカバリ印刷を行う。
【００８３】
上述したように、シフトモードでは、印刷不可ページのタグＩＤに結び付けられた印刷データを、当該印刷不可ページの後のページに順次繰り下げて印刷する。
【００８４】
上述した構成の作用について説明する。
【００８５】
画像形成システムが行う印刷処理を図６の実施例における画像形成システムの印刷処理の流れを示すフローチャートの図中Ｓで表すステップに従って図１および図２を参照しながら説明する。
なお、本実施例では、情報処理装置１０のアプリケーション１０２からプリンタドライバ１０３を経由して印刷を行う印刷処理を説明する。
【００８６】
Ｓ１０１：画像形成システム１の情報処理装置１０は、主制御部１０１により、ユーザにより設定された印刷設定の情報を記憶部１０５に保持する。情報処理装置１０のプリンタドライバ１０３は、ユーザの操作により印刷設定の入力操作を受け付け、連結数１０５ａ、ページ間ギャップ１０５ｂ、連結前ページ長１０５ｃ、およびリカバリモード１０５ｄなどの印刷設定の情報を記憶部１０５に保持する。
【００８７】
本実施例では、リカバリモードとして上書きモードとシフトモードとをユーザの操作により選択することができるようになっている。
【００８８】
Ｓ１０２：情報処理装置１０のプリンタドライバ１０３は、アプリケーション１０２の文書データをもとに、記憶部１０５に保持された印刷設定の情報に従って印刷データを生成する。このとき、プリンタドライバ１０３は、記憶部１０５に保持された連結数１０５ａ、ページ間ギャップ１０５ｂ、連結前ページ長１０５ｃ、およびリカバリモード１０５ｄを印刷データに含ませるものとする。
【００８９】
Ｓ１０３：情報処理装置１０の主制御部１０１は、データ通信部１０４により、プリンタドライバ１０３が生成した印刷データを画像形成装置２０に送信し、本処理を終了する。
【００９０】
次に、情報処理装置１０が行う印刷データ生成処理を図７の実施例における情報処理装置の印刷データ生成処理の流れを示すフローチャートの図中Ｓで表すステップに従って図１および図２を参照しながら説明する。なお、この印刷データ生成処理は、図６におけるＳ１０２において行われる処理である。
【００９１】
Ｓ１１１：情報処理装置１０のプリンタドライバ１０３は、ページの連結が必要であるか否かを判定し、必要であると判定すると処理をＳ１１３へ移行し、不要であると判定すると処理をＳ１１２へ移行する。
【００９２】
具体的には、記憶部１０５に記憶された連結前ページ長１０５ｃと閾値Ｌ（搬送可能な印刷媒体の長さ）とを比較し、連結前ページ長１０５ｃが閾値Ｌより小さい場合、ページの連結が必要であると判定し、連結前ページ長１０５ｃが閾値Ｌ以上である場合、ページの連結が不要であると判定するものとする。
【００９３】
また、プリンタドライバ１０３は、記憶部１０５に記憶された連結数１０５ａが「１」の場合、ページの連結が不要であると判定し、連結数１０５ａが「２」以上の場合、ページの連結が必要であると判定するようにしても良い。
【００９４】
Ｓ１１２：ページの連結が不要であると判定したプリンタドライバ１０３は、ページを連結することなく印刷データを生成し、本処理を終了する。
【００９５】
Ｓ１１３：ページの連結が必要であると判定したプリンタドライバ１０３は、画像形成装置２０で搬送可能な印刷媒体の長さになるように、記憶部１０５に記憶された連結数１０５ａ分のページを連結、例えば連結数１０５ａが「３」の場合、３ページずつ連結した印刷データを生成し、本処理を終了する。
【００９６】
なお、プリンタドライバ１０３は、ページを連結するとき、ページ間に、記憶部１０５に記憶されたページ間ギャップ１０５ｂに対応する長さの間隔（例えば、空白行）を付加するものとする。
【００９７】
次に、画像形成装置が行う印刷データ受信処理を図８の実施例における画像形成装置の印刷データ受信処理の流れを示すフローチャートの図中Ｓで表すステップに従って図１および図２を参照しながら説明する。なお、この印刷データ受信処理は、主制御部１０９の制御により、データ通信部１０７、印刷データ編集部１０８、印刷部１１１、展開部１１５、および画像転送部１１６等が行う処理である。
【００９８】
Ｓ２０１：画像形成装置２０は、データ通信部１０７で情報処理装置１０から印刷データを受信する。
【００９９】
Ｓ２０２：印刷データ編集部１０８は、データ通信部１０７で受信した印刷データを編集する。このとき、印刷データ編集部１０８は、印刷データに含まれる連結数、ページ間ギャップ、連結前ページ長、およびリカバリモードをそれぞれ記憶部１１４の連結数１１４ａ、ページ間ギャップ１１４ｂ、連結前ページ長１１４ｃ、およびリカバリモード１１４ｅに記憶し、保持するものとする。
【０１００】
Ｓ２０３：印刷データ編集部１０８は、ＲＦＩＤ検出部１１２でＮＧページを検出した場合、ＮＧページへの印刷を避けるために、連結前の１ページを避けるための媒体搬送方向における長さを連結前１ページ長として算出し、記憶部１１４に保持する。ここで、連結前１ページ長は、記憶部１１４に保持された連結前ページ長１１４ｃにページ間ギャップ１１４ｂを加算した長さとする。
【０１０１】
Ｓ２０４：展開部１１５は、印刷データ編集部１０８で編集された印刷データをビットマップの画像データに展開する。
【０１０２】
Ｓ２０５：画像転送部１１６は、展開部１１５で展開された画像データを印刷部１１１に転送し、印刷部１１１は転送された画像データに基づいて印刷を行い、本処理を終了する。
【０１０３】
次に、画像形成装置が行う印刷処理を図９の実施例における画像形成装置の印刷処理の流れを示すフローチャートの図中Ｓで表すステップに従って図１および図２を参照しながら説明する。なお、この印刷処理は、図８におけるＳ２０５において行われる処理であり、主制御部１０９の制御により、機構制御部１１０、印刷部１１１、ＲＦＩＤ検出部１１２、リカバリ制御部１１３、および画像転送部１１６等が行う処理である。
【０１０４】
Ｓ２１１：画像形成装置２０の印刷部１１１は、機構制御部１１０により、図３に示す搬送ローラ２２ａ〜２２ｃ、現像ユニット２６、中間転写ユニット２７、および転写部２８の制御を開始し、印刷媒体Ｐの搬送を開始して印刷動作を開始する。
このとき、主制御部１０９は、記憶部１１４に記憶される変数である実ページＩＤを「１」に初期化し、また検出ページＩＤを「０」に初期化する。
【０１０５】
ここで、実ページＩＤは、印刷媒体の物理ページ（実ページ）を表すものであり、連結前のページに合わせて印刷データのページ管理を行うための変数である。また、検出ページＩＤは、ＲＦＩＤ検出部１１２で検出したページの枚数を管理するための変数である。
なお、実ページＩＤおよび検出ページＩＤは、ＮＧページへの印刷を避ける制御に使用される変数である。
【０１０６】
また、印刷部１１１が印刷動作を開始すると、ＲＦＩＤ検出部１１２は、印刷媒体のＮＧページを検出するＮＧページ検出処理を開始する。なお、ＮＧページ検出処理は後述する。
【０１０７】
Ｓ２１２：印刷部１１１は、画像転送部１１６により、図３に示す現像ユニット２６に出力するストローブ信号をＯＮ（出力）する。
【０１０８】
Ｓ２１３：印刷部１１１は、画像転送部１１６により、図３に示す現像ユニット２６に画像データを転送するＤＭＡ転送を開始する。
【０１０９】
Ｓ２１４：主制御部１０９は、記憶部１１４に記憶されたＮＧページＩＤ１１４ｄを取得する。なお、ＮＧページＩＤ１１４ｄは、ＲＦＩＤ検出部１１２が行うＮＧページ検出処理において記憶部１１４に記憶される。
【０１１０】
Ｓ２１５：主制御部１０９は、実ページがＮＧページか否かを判定し、ＮＧページと判定すると処理をＳ２１８へ移行し、ＮＧページでないと判定すると処理をＳ２１６へ移行する。主制御部１０９は、記憶部１１４に記憶されている実ページＩＤと、取得したＮＧページＩＤ１１４ｄと比較し、実ページＩＤとＮＧページＩＤ１１４ｄとが一致する場合に当該実ページがＮＧページであると判定し、不一致の場合に当該実ページはＮＧページでないと判定する。
【０１１１】
Ｓ２１６：主制御部１０９により実ページがＮＧページでないと判定されると、印刷部１１１は、画像転送部１１６により、連結前の１ページ長（ページ間ギャップを含む）のライン数の画像データの図３に示す現像ユニット２６へのデータ転送を行い、１ページの印刷を行う。
【０１１２】
Ｓ２１７：主制御部１０９は、記憶部１１４に記憶されている実ページＩＤに「１」を加算して更新し、処理をＳ２２５へ移行する。
【０１１３】
Ｓ２１８：一方、Ｓ２１５において、実ページがＮＧページであると判定した主制御部１０９は、リカバリモードが上書きモードまたはシフトモードであるかを判定し、上書きモードであると判定すると処理をＳ２１９へ移行し、シフトモードであると判定すると処理をＳ２２２へ移行する。主制御部１０９は、記憶部１１４のリカバリモード１１４ｅに上書きモードを表す情報が記憶されている場合に上書きモードであると判定し、シフトモードを表す情報が記憶されている場合にシフトモードであると判定する。
【０１１４】
Ｓ２１９：主制御部１０９により上書きモードであると判定されると、印刷部１１１は、画像転送部１１６により、ストローブ信号をＯＦＦ（出力停止）する。
【０１１５】
Ｓ２２０：印刷部１１１は、機構制御部１１０により、連結前の１ページ長（ページ間ギャップを含む）の印刷媒体の搬送を行うとともに、画像転送部１１６により、連結前の１ページ長（ページ間ギャップを含む）のライン数の画像データの図３に示す現像ユニット２６へのデータ転送を行う。
【０１１６】
Ｓ２２１：印刷部１１１は、画像転送部１１６により、ストローブ信号をＯＮ（出力）し、処理をＳ２１７へ移行する。このように、印刷部１１１は、図３に示す現像ユニット２６への画像データの転送は行うが、現像ユニット２６へ出力する印刷指示信号としてのストローブ信号をＯＦＦして現像ユニット２６の印字ヘッドを動作させないようにし、ＮＧページの印刷を避ける。なお、印刷は行っていないが、印刷制御上は、正常に印刷が終了したものとして処理をＳ２１７へ移行して実ページＩＤを更新する。
【０１１７】
Ｓ２２２：一方、Ｓ２１８において、主制御部１０９によりシフトモードであると判定されると、印刷部１１１は、画像転送部１１６により、ＤＭＡ転送を停止し、印刷データに基づく画像データの図３に示す現像ユニット２６へのデータ転送（出力）を停止し、ＮＧページの印刷を避ける。
【０１１８】
Ｓ２２３：印刷部１１１は、機構制御部１１０により、連結前の１ページ長（ページ間ギャップを含む）の印刷媒体の搬送を行う。
なお、本実施例では、ストローブ信号をＯＦＦおよびＤＭＡ転送の停止および再開を行うことでＮＧページへの印刷を避けるものとしたが、ストローブ信号をＯＦＦおよびＤＭＡ転送の停止することなく印刷データをすべて「０」として印刷を避けるようにしても良い。
【０１１９】
Ｓ２２４：印刷媒体の搬送を行った印刷部１１１は、画像転送部１１６により、ＤＭＡ転送を再開し、処理をＳ２２５へ移行する。このように、印刷部１１１は、図３に示す現像ユニット２６への画像データの転送を停止してＮＧページに印刷を行わないようにする。このとき、印刷部１１１は、印刷を行っていないため、実ページＩＤを更新することなく、画像データを次のページに持ち越すようにする。
【０１２０】
Ｓ２２５：主制御部１０９は、印刷部１１１により、連結前の１ページ長（ページ間ギャップを含む）の印刷または印刷媒体の搬送を行うと、印刷データの全ページの印刷が終了したか否かを判定し、終了したと判定すると処理をＳ２２６へ移行し、終了していないと判定すると残っているページを印刷するため処理をＳ２１４へ移行し、Ｓ２１４〜Ｓ２２４の処理を繰り返して行う。
【０１２１】
Ｓ２２６：主制御部１０９により全ページの印刷が終了したと判定されると、印刷部１１１は、画像転送部１１６により、ＤＭＡ転送を停止する。
【０１２２】
Ｓ２２７：また、印刷部１１１は、画像転送部１１６により、ストローブ信号をＯＦＦ（出力停止）し、本処理を終了する。
【０１２３】
次に、画像形成装置が行うＮＧページ検出処理を図１０の実施例における画像形成装置のＮＧページ検出処理の流れを示すフローチャートの図中Ｓで表すステップに従って図１、図２および図３を参照しながら説明する。なお、このＮＧページ検出処理は、図１０における印刷処理と並行して行われる処理であり、図３に示す印刷媒体Ｐが搬送ローラ２２ａ〜２２ｃおよび転写部２８によって搬送されるものとする。
【０１２４】
Ｓ３０１：画像形成装置２０の主制御部１０９は、反射式光学センサや透過式光学センサ等のページ検出センサ２９を用いて印刷媒体のページを検出するものとする。ページ検出センサは、例えば印刷媒体のページ毎に設けられたページマークやラベル部を検出して印刷媒体のページを検出する。
【０１２５】
Ｓ３０２：主制御部１０９は、印刷媒体のページを検出すると、記憶部１１４に記憶した検出ページＩＤに「１」を加算する。
【０１２６】
Ｓ３０３：主制御部１０９は、ＲＦＩＤ検出部１１２により、検出されたページのＲＦＩＤとの間で近距離無線通信を行い、ＲＦＩＤとの間での情報の読取り（Ｒｅａｄ）や書き込み（Ｗｒｉｔｅ）の可否を確認する。
【０１２７】
Ｓ３０４：主制御部１０９は、ＲＦＩＤ検出部１１２により、ＲＦＩＤとの間での情報の読取り（Ｒｅａｄ）や書き込み（Ｗｒｉｔｅ）が可能であると判定すると処理をＳ３０５へ移行し、不可能であると判定すると処理をＳ３０９へ移行する。
【０１２８】
Ｓ３０５：主制御部１０９は、ＲＦＩＤ検出部１１２により、ＲＦＩＤの読取り（Ｒｅａｄ）や書き込み（Ｗｒｉｔｅ）が可能であると判定すると、リカバリモードが上書きモードまたはシフトモードであるかを判定し、上書きモードであると判定すると処理をＳ３０６へ移行し、シフトモードであると判定すると本処理を終了する。主制御部１０９は、記憶部１１４のリカバリモード１１４ｅに上書きモードを表す情報が記憶されている場合に上書きモードであると判定し、シフトモードを表す情報が記憶されている場合にシフトモードであると判定する。
【０１２９】
Ｓ３０６：上書きモードであると判定した主制御部１０９は、検出したページが印刷する最後のページであるか否かを判定し、最後のページであると判定すると処理をＳ３０７へ移行し、最後のページでないと判定すると本処理を終了する。主制御部１０９は、記憶部１１４に記憶された検出ページＩＤが印刷データの印刷終了ページ（最終ページ）に達したとき検出したページが印刷する最後のページであると判定し、検出ページＩＤが印刷データの印刷終了ページ（最終ページ）に達していないとき検出したページは印刷する最後のページでないと判定する。
【０１３０】
Ｓ３０７：検出したページが印刷する最後のページであると判定した主制御部１０９は、ＮＧページを検出しているか否かを判定し、ＮＧページを検出していると判定すると処理をＳ３０８へ移行し、ＮＧページを検出していないと判定すると本処理を終了する。主制御部１０９は、記憶部１１４のＮＧページＩＤ１１４ｄに記憶されているＮＧページＩＤの数が０でない（ＮＧページ数＞０）とき、ＮＧページを検出していると判定し、ＮＧページＩＤの数が０（ＮＧページ数＝０）のとき、ＮＧページを検出していないと判定する。
【０１３１】
Ｓ３０８：主制御部１０９は、リカバリ印刷を行うため、リカバリ制御部１１３により、記憶部１１４のＮＧページＩＤ１１４ｄに記憶されているすべてのＮＧページＩＤを、データ通信部１０７を介して上位装置である情報処理装置１０へ通知し、本処理を終了する。
【０１３２】
Ｓ３０９：一方、Ｓ３０４において、ＲＦＩＤ検出部１１２により、ＲＦＩＤの読取り（Ｒｅａｄ）や書き込み（Ｗｒｉｔｅ）が不可能であると判定した主制御部１０９は、記憶部１１４に記憶されている検出ページＩＤを、ＮＧページＩＤとして記憶部１１４のＮＧページＩＤ１１４ｄに記憶し、保持する。
【０１３３】
Ｓ３１０：主制御部１０９は、リカバリモードが上書きモードまたはシフトモードであるかを判定し、上書きモードであると判定すると処理をＳ３１１へ移行し、シフトモードであると判定すると処理をＳ３１２へ移行する。主制御部１０９は、記憶部１１４のリカバリモード１１４ｅに上書きモードを表す情報が記憶されている場合に上書きモードであると判定し、シフトモードを表す情報が記憶されている場合にシフトモードであると判定する。
【０１３４】
Ｓ３１１：上書きモードであると判定した主制御部１０９は、記憶部１１４のＮＧページＩＤ１１４ｄに記憶されているＮＧページの数が連結数１１４ａに達したか否かを判定し、達した（ＮＧページ≧連結数）と判定すると連結数分のＮＧページが溜まったのでＮＧページＩＤを情報処理装置１０へ通知するため処理をＳ３０８へ移行し、達していない（ＮＧページ＜連結数）と判定すると本処理を終了する。
【０１３５】
なお、本実施例では、連結数分のＮＧページが溜まったときに、記憶部１１４のＮＧページＩＤ１１４ｄに記憶されているＮＧページＩＤを情報処理装置１０に通知するようにしたが、ＮＧページを検出したときに、即時にＮＧページＩＤを情報処理装置１０に通知し、情報処理装置１０側で連結ページ数分のＮＧページＩＤを蓄積し、印刷データを生成するようにしても良い。
【０１３６】
また、主制御部１０９は、記憶部１１４のＮＧページＩＤ１１４ｄに記憶されているＮＧページの数が連結数１１４ａに達していないと判定した場合であって、印刷する最後のページである場合、ＮＧページＩＤ１１４ｄに保持したページ番号をＮＧページの情報として情報処理装置１０に通知する。
【０１３７】
Ｓ３１２：Ｓ３１０において、シフトモードであると判定した主制御部１０９は、当該検出ページには印刷ができず、印刷するページを次のページに繰り越して印刷するため、記憶部１１４に記憶した検出ページＩＤから「１」を減算し、本処理を終了する。このとき、図９に示す印刷処理のＳ２１５、Ｓ２１７、Ｓ２２２〜Ｓ２２４の処理により当該検出ページはＮＧページとして印刷データの印刷は行われない。
【０１３８】
次に、情報処理装置が行うＮＧページＩＤ受信処理を図１１の実施例における情報処理装置のＮＧページＩＤ受信処理の流れを示すフローチャートの図中Ｓで表すステップに従って図１、図２および図３を参照しながら説明する。なお、このＮＧページＩＤ受信処理は、図１０のＳ３０８において画像形成装置２０から送信されたＮＧページＩＤを受信する処理である。
【０１３９】
Ｓ１２１：情報処理装置１０の主制御部１０１は、データ通信部１０４により、画像形成装置２０から送信されたＮＧページＩＤをＮＧページ情報として受信する。
【０１４０】
Ｓ１２２：情報処理装置１０のプリンタドライバ１０３は、ＮＧページ情報をもとに、記憶部１０５に保持された印刷設定の情報に従ってＮＧページＩＤに対応するページの印刷データを生成する。このとき、プリンタドライバ１０３は、記憶部１０５に保持された連結数１０５ａ、ページ間ギャップ１０５ｂ、連結前ページ長１０５ｃ、およびリカバリモード１０５ｄを印刷データに含ませるものとする。
【０１４１】
なお、プリンタドライバ１０３は、図７に示す印刷データ生成処理を行う。
【０１４２】
Ｓ１２３：情報処理装置１０の主制御部１０１は、データ通信部１０４により、プリンタドライバ１０３が生成した印刷データを画像形成装置２０に送信し、本処理を終了する。このとき、ＮＧページ数が連結数に達している場合、図１０のＳ３１１、Ｓ３０８においてＮＧページＩＤがまとめて通知されるため、プリンタドライバ１０３で通知されたページを連結してひとつのページとして印刷データを生成し、再度、画像形成装置２０へ送信する。
【０１４３】
このように、本実施例において、リカバリモードが上書きモードである場合、印刷しようとしているページがＮＧページであるとき、図３に示すように、ＮＧページＩＤを画像形成装置２０から情報処理装置１０に通知し、情報処理装置１０においてＮＧページＩＤに対応するページの印刷データを再び生成し、その印刷データに従って画像形成装置２０が印刷媒体の最終ページの後のＲＦＩＤに記憶されたタグＩＤと印刷データとが結び付けられていないページに印刷を行う。
【０１４４】
したがって、タグＩＤと印刷データとが結び付けられている場合であっても、印刷媒体のＮＧページに結び付けられた印刷データを再印刷することができ、印刷媒体のページと印刷データとが対応しない印刷を抑制することができる。
また、物理ページを連結した論理ページを印刷する場合であっても、印刷媒体のＮＧページに結び付けられた印刷データを再印刷することができ、印刷媒体のページと印刷データとが対応しない印刷を抑制することができる。
【０１４５】
一方、リカバリモードがシフトモードである場合、印刷しようとしているページがＮＧページであるとき、図５に示すように、画像形成装置２０は当該ＮＧページに印刷することなく、そのＮＧページの次のページに繰り越して印刷を行う。
【０１４６】
以上説明したように、本実施例では、画像形成装置は、印刷しようとしているページがＮＧページであることを検出した場合、印刷媒体の最終ページの後のＲＦＩＤに記憶されたタグＩＤと印刷データとが結び付けられていないページにＮＧページに対応した印刷データの印刷を行うようにしたことにより、印刷媒体のページと印刷データとが対応しない印刷を抑制することができるという効果が得られる。
【０１４７】
また、物理ページを連結した論理ページを印刷する場合であっても、印刷媒体のＮＧページに結び付けられた印刷データを再印刷することができ、印刷媒体のページと印刷データとが対応しない印刷を抑制することができるという効果が得られる。
【０１４８】
なお、本実施例では、画像形成装置をプリンタとして説明したが、複合機（ＭＦＰ）等としても良い。また、画像形成装置をカラープリンタとして説明したが、モノクロプリンタとしても良い。
【符号の説明】
【０１４９】
１    画像形成システム
１０  情報処理装置
２０  画像形成装置
２２ａ、２２ｂ、２２ｃ  搬送ローラ
２３  ＲＦＩＤモジュール
２４  カッタ機構
２６  現像ユニット
２７  中間転写ユニット
１０１、１０９  主制御部
１０２  アプリケーション
１０３  プリンタドライバ
１０４、１０７  データ通信部
１０５、１１４  記憶部
１０６  通信回線
１０８  印刷データ編集部
１１０  機構制御部
１１１  印刷部
１１２  ＲＦＩＤ検出部
１１３  リカバリ制御部
１１５  展開部
１１６  画像転送部
【図１】
2018199305.tif 000003
【図２】
2018199305.tif 000004
【図３】
2018199305.tif 000005
【図４】
2018199305.tif 000006
【図５】
2018199305.tif 000007
【図６】
2018199305.tif 000008
【図７】
2018199305.tif 000009
【図８】
2018199305.tif 000010
【図９】
2018199305.tif 000011
【図１０】
2018199305.tif 000012
【図１１】
2018199305.tif 000013